(57)【特許請求の範囲】
【請求項１】
エレベータの昇降体が昇降する昇降路の頂部において、
昇降路の水平投影面において上記昇降体と重畳しないように昇降路天井部分の正面左側昇降路壁に沿って架設され、一端が奥行側昇降路壁に、他端が出入口側昇降路壁にそれぞれ固定された一方の昇降路部材と、
昇降路の水平投影面において上記昇降体と重畳しないように昇降路天井部分の正面右側昇降路壁に沿って架設され、一端が奥行側昇降路壁に、他端が出入口側昇降路壁にそれぞれ固定された他方の昇降路部材と、
エレベータ機器の揚重時に、上記一方の昇降路部材及び上記他方の昇降路部材にそれぞれ端部が支持されて上記昇降路を横切り、昇降路の水平投影面において上記昇降体と重畳する部位に架設された揚重梁と、
上記揚重梁を上記一方の昇降路部材及び上記他方の昇降路部材にそれぞれ係止させて固定し、上記エレベータ機器の揚重終了時に、上記係止が解かれることにより上記揚重梁を昇降路の水平投影面において上記昇降体と重畳しない領域へ移設可能とする係止具と、
を備えたことを特徴とするエレベータの昇降路。
【請求項２】
係止具は、一方の昇降路部材と揚重梁とを枢着するヒンジと、他方の昇降路部材と上記揚重梁とを係止するボルトとからなり、上記ボルトによる係止が解除されることにより、上記ヒンジを軸として上記揚重梁が下方に回転し、昇降路の水平投影面において上記昇降体と重畳しない領域で垂下することを可能とするものとした請求項１に記載のエレベータの昇降路。
【請求項３】
係止具は、一方の昇降路部材と揚重梁とを枢着するヒンジと、他方の昇降路部材と揚重梁とを係止するボルトとからなるものとし、上記ボルトによる係止が解除されることにより、上記ヒンジを軸として上記揚重梁が上記一方の昇降路部材側へ水平方向に回転し、昇降路の水平投影面において上記昇降体と重畳しない領域まで移動可能とするものとした請求項１に記載のエレベータの昇降路。
【請求項４】
一方の昇降路部材を、両端が相対向する昇降路壁に植設されて一方の昇降路側部において上記昇降路を横切ると共に、上記昇降路の中央方向に延びる棚部が形成された型鋼からなり、係止具による係止が解かれた揚重梁を上記棚部に収納可能とし、この収納状態において、昇降路の水平投影面において上記昇降体と重畳しないものとした請求項１に記載のエレベータの昇降路。
【請求項５】
一方の昇降路部材、他方の昇降路部材、及び揚重梁のそれぞれが架設された位置よりも下位の昇降路内に、かごを昇降駆動させる巻上機が設置されるものとした請求項１から請求項４に記載のエレベータの昇降路。
【請求項６】
昇降体を、かご室又はかご枠とした請求項１から請求項５に記載のエレベータの昇降路。
【発明の詳細な説明】
【０００１】
【発明の属する技術の分野】
この発明は、エレベータの昇降路に係り、特に昇降路の上部に機械室を設けないエレベータの昇降路に係る。
【０００２】
【従来の技術】
従来、エレベータが設置される建物には、昇降路の上部に機械室が設けられ、その機械室に巻上機や制御盤等が設置されていた。また、かごは最上階まで上昇するため、機械室は必然的に屋上から一段突出することとなる。このような機械室の存在は、北側に位置する居住地に対して日照権の問題を提起したり、また、美観上も好ましくないものであった。
そこで、最近では法規制が緩和され、所定の制限条件の下で昇降路上部の機械室に設けられていた巻上機、制御盤等を昇降路内に設置することが認められるようになった。このため、昇降路上部の機械室を省くことができるようになり、建物の屋上から突出する程度は機械室相当分だけ減少させることが可能となった。
【０００３】
図９から図１１は昇降路上部の機械室を省いた従来のエレベータの昇降路を示し、例えば特開平９−１３２３６４号公報に開示されているものと同種のものである。図において、昇降路１は最下階から最上階９まで通じており、この昇降路１内をかご室２ａとこのかご室２ａを支持するかご枠２ｄからなるかご２が巻上機５に巻き掛けられた主索６に吊持されて昇降駆動される。また、主索６の他端にはつり合おもり７が吊持されており、つるべ式に昇降する。
また、エレベータの据付け時では昇降路１内でかごガイドレール４、おもりガイドレール８やかご室２ａ、その他昇降路機器を揚重する必要があり、またエレベータが稼動状態に入った後でも保守作業で主索６の取替えのためにかご２を吊る必要がある。このため、昇降路頂部の左側昇降路壁１３に沿って奥行側昇降路壁１５及び出口側昇降路壁１６に両端が植設された建築梁１２ａが昇降路１を横切って架設されいる。また、昇降路頂部の右側昇降路壁１８に沿って奥行側昇降路壁１５と出入口側昇降路壁１６にそれぞれ両端が植設された建築梁１７ａが昇降路１を横切って架設されいる。更に、これら両建築梁１２ａ及び１７ａに両端が固定されて昇降路１の中央部を揚重梁１１が横切って架設されている。この揚重梁１１を利用して据付時又は保守時の揚重を行っている。
【０００４】
【発明が解決しようとする課題】
ところで、かご２は建物内の限られた空間を上下するものであるから、上下の終端でかご２と建物が衝突しないようにしなければならない。即ち、何らかの原因でかご２が最上階９を行き過ぎたとしても、昇降路１を構成する部材との衝突を避けるため、例えば、ロープ式エレベータでは建築基準法施行令第１２９条の６第５項で、かご２が最上階９に停止したときのかご枠２ｄの上端から昇降路天井１４下面又は揚重梁１１の下端までの垂直距離を「頂部すき間」と定義し、この頂部すき間として定格速度に応じて所定の距離を置くことを義務付けている。
上記従来例では、頂部すき間は図１０及び図１１に符号「Ｌ」で示すとおり、かご枠２ｄの上端と揚重梁１１の下端との間隔となる。このため、揚重梁１１相当分だけ昇降路天井１４が高くなる。延いては昇降路１の部分が建物の屋上から突出することとなり、また、この突出を避けて高さを一律にしようとすると建物全体を高くしなけければならない。このため、美観を損ねたり、建築費が高価となるという問題があった。
この発明はかかる問題点を解決するためになされたものであり、昇降路天井を可能な限り低くしたエレベータの昇降路を提供することを目的とする。
【０００５】
【課題を解決するための手段】
この発明に係るエレベータの昇降路は、エレベータの昇降体が昇降する昇降路の頂部において、昇降路の水平投影面において昇降体と重畳しないように昇降路天井部分の正面左側昇降路壁に沿って架設され、一端が奥行側昇降路壁に、他端が出入口側昇降路壁にそれぞれ固定された一方の昇降路部材と、昇降路の水平投影面において昇降体と重畳しないように昇降路天井部分の正面右側昇降路壁に沿って架設され、一端が奥行側昇降路壁に、他端が出入口側昇降路壁にそれぞれ固定された他方の昇降路部材と、エレベータ機器の揚重時に、一方の昇降路部材及び他方の昇降路部材にそれぞれ端部が支持されて昇降路を横切り、昇降路の水平投影面において昇降体と重畳する部位に架設された揚重梁と、揚重梁を一方の昇降路部材及び他方の昇降路部材にそれぞれ係止させて固定し、エレベータ機器の揚重終了時に、係止が解かれることにより揚重梁を昇降路の水平投影面において昇降体と重畳しない領域へ移設可能とする係止具とを備えたものである。
【０００６】
また、係止具は、一方の昇降路部材と揚重梁とを枢着するヒンジと、他方の昇降路部材と上記揚重梁とを係止するボルトとからなり、上記ボルトによる係止が解除されることにより、上記ヒンジを軸として上記揚重梁が下方に回転し、昇降路の水平投影面において上記昇降体と重畳しない領域で垂下することを可能としたものである。
【０００７】
更に、係止具は、一方の昇降路部材と揚重梁とを枢着するヒンジと、他方の昇降路部材と揚重梁とを係止するボルトとからなるものとし、上記ボルトによる係止が解除されることにより、上記ヒンジを軸として上記揚重梁が上記一方の昇降路部材側へ水平方向に回転し、昇降路の水平投影面において上記昇降体と重畳しない領域まで移動可能としたものである。
【０００８】
更にまた、一方の昇降路部材を、両端が相対向する昇降路壁に植設されて一方の昇降路側部において上記昇降路を横切ると共に、上記昇降路の中央方向に延びる棚部が形成された型鋼からなり、係止具による係止が解かれた揚重梁を上記棚部に収納可能とし、この収納状態において、昇降路の水平投影面において上記昇降体と重畳しないようにしたものである。
【０００９】
【発明の実施の形態】
実施の形態１．
図１及び図２は、この発明の一実施の形態を示し、図中、１は昇降路、２はこの昇降路１に収納されて昇降する昇降体であるかごで、箱体からなるかご室２ａと、このかご室２ａの上部を覆うかご天井２ｂと、かご戸２ｃと、かご室２ａを支持するかご枠２ｄとからなる。４は相対峙して立設された一対のかごガイドレールで、かご枠２ｄに係合してかご２の昇降を案内する。５はかご２を昇降駆動する巻上機、６はかご２を吊持する主索で、中間部が巻上機５に巻き掛けられている。７は主索６の他端に係止されたつり合おもり、８はこのつり合おもり７の昇降を案内するおもりガイドレール、９は最上階の床、１０は最上階の乗場出入口である。
【００１０】
１２は昇降路天井１４部分の正面左側昇降路壁１３に沿って架設された一方の昇降路部材で、一端が奥行側昇降路壁１５に植設され、他端が出入口側昇降路壁１６に植設されて正面左側の昇降路壁１３に沿って架設された型鋼からなる建築梁１２ａと、この建築梁１２ａの中間部に固着され開口を昇降路１の中央部に向けて突設された型鋼からなる取付金具１２ｂとからなり、その水平投影面に投影される画像が、かご２の水平投影面上の画像と重畳しないように昇降路１の一側に架設されている。１７は昇降路天井１４部分の正面右側昇降路壁１８に沿って架設された他方の昇降路部材で、一端が奥行側昇降路壁１５に植設され、他端が出入口側昇降路壁１６に植設されて正面右側昇降路壁１８に沿って架設された型鋼からなる建築梁１７ａと、この建築梁１７ａの中間部に固着され開口を昇降路１の中央部に向けて突設された型鋼からなる取付金具１７ｂとからなり、その水平投影面に投影される画像が、かご２の水平投影面上の画像と重畳しないようにかご２を介在して一方の昇降路部材１２と相対する位置に架設されている。１９は揚重梁で、一端が取付金具１２ｂの開口に挿嵌されて係止具であるボルト１９ａで固定され、他端が取付部１７ｂの開口に挿嵌されて係止具であるボルト１９ｂで固定されて上記昇降路１を横切り、その水平投影面上の画像がかご２の水平投影面上の画像と重畳する部位に架設されている。
【００１１】
上記実施の形態１において、エレベータの据付時に機器を揚重する場合又は保守点検の結果、機器の取替えを行うために揚重する場合は、図１又は図２に鎖線で示すとおり、両取付金具１２ｂ及び１７ｂに揚重梁１９を挿嵌して架設し、更にボルト１９ａ及び１９ｂで固定した後、この揚重梁１９にチエンブロック（図示しない。）等を取り付けて揚重する。
【００１２】
揚重が終了したならば、ボルト１９ａ及び１９ｂを外す。揚重梁１９は取付金具１２ｂ及び１７ｂに挿嵌されているので着脱が可能である。即ち、揚重梁１９を奥行方向又は出口方向に移動させて取付金具１２ｂ及び１７ｂから取り外して、その水平投影面に投影される画像が、かご２の水平投影面上の画像と重畳しない位置に移動させる。
このような位置に揚重梁１９は移動されるので、かご２が異常に上昇したとしても揚重梁１９と干渉することはない。この結果、頂部すきまＬは、かご枠２ｄの先端から昇降路天井１４までの距離となる。従って、揚重後も揚重梁１９を設置したままとする場合に比べて、揚重梁１９の高さ相当だけ昇降路天井１４を低くでき、延いては建物の高さを低くすることができる。
【００１３】
なお、上記実施の形態１では取り外した揚重梁１９の移設場所を特に指定していないが、かご２が水平投影面に描く画像と重畳しない昇降路１内の領域ならばよく、例えば昇降路１のピット（図示しない。）に立て掛けておいてもよく、また、昇降路１から取り出して別の場所に収納してもよいものである。
【００１４】
実施の形態２．
図３及び図４は実施の形態２を示し、揚重梁の一端にヒンジを取り付け、上下方向に回動させて架設又は垂下させるようにしたものである。
図中、図１及び図２と同一符号は同一部分を示す。１７ａは一端が奥行側昇降路壁１５に植設され、他端が出入口側昇降路壁１６に植設されて正面右側昇降路壁１８に沿って架設された型鋼からなる建築梁で、この実施の形態では他方の昇降路部材を構成する。２１は昇降路天井１４部分の正面左側の昇降路壁１３に沿って架設された一方の昇降路部材で、一端が奥行側昇降路壁１５に植設され、他端が出入口側昇降路壁１６に植設されて正面左側昇降路壁１３に沿って架設された型鋼からなる建築梁１２ａと、この建築梁１２ａの中間部に固着され昇降路１の中央部に向けて突設された型鋼からなる取付金具２１ａとからなり、その水平投影面に投影される画像が、かご２の水平投影面上の画像と重畳しないように左側昇降路壁１３に沿って架設されている。２２は取付金具２１ａの端部に取り付けられたヒンジ、２３は揚重梁で、一端はこのヒンジ２２に取り付けられ、揚重時は他端を取付金具２４を介して建築梁１７ａにボルト２５によって締結されて昇降路１を横切り、その水平投影面上の画像がかご２の水平投影面上の画像と重畳する部位に架設されて揚重の用に供され、エレベータの稼動時はボルト２５による締結を解いてヒンジ２２を軸として下方向へ回転して取付金具２４と共に垂下し、垂下した状態での水平投影面上の映像がかご２の画像と重畳しないものである。
【００１５】
上記実施の形態２において、エレベータの機器を揚重する場合、図３及び図４に鎖線で示すとおり、揚重梁２３をヒンジ２２を軸として上方向へ回転させ、他端を取付金具２４を介して建築梁１７ａにボルト２５によって締結した後、この揚重梁２３にチエンブロック等を取り付けて揚重する。
揚重が終了したならば、ボルト２５の締結を解いてヒンジ２２を軸として下方向へ回転させて図３及び図４に実線で示すとおり垂下させる。垂下した状態ではその水平投影面上の画像がかご２の画像と重畳しないので、かご２の通常昇降は勿論のこと、異常昇降しても干渉はないものである。
この結果、実施の形態１と同様に、頂部すきまＬはかご枠２ｄの先端から昇降路天井１４までの距離となる。従って、揚重後も揚重梁２３を設置したままとする場合に比べて、揚重梁２３の高さ相当だけ昇降路天井１４を低くでき、延いては建物の高さを低くすることができる。また、建築梁１７ａからボルト２５の締結を解除し、揚重梁２３の他端を人手で支持して徐々にかご２を下降させながら垂下させる。揚重梁２３を架設する場合は、その逆の作業となる。それらはいずれも簡単であって、容易にエレベータ揚重作業及びの稼動に備えることができる。
【００１６】
実施の形態３．
図５及び図６はこの発明の実施の形態３を示し、揚重梁の一端にヒンジを取り付けて水平方向に回動させるようにしたものである。
図中、図１から図４と同一符号は同一部分を示す。３１は昇降路天井１４部分の正面左側昇降路壁１３に沿って架設された一方の昇降路部材で、一端が奥行側昇降路壁１５に植設され、他端が出入口側昇降路壁１６に植設されて正面左側の昇降路壁１３に沿って架設された型鋼からなる建築梁１２ａと、この建築梁１２ａの中間部に固着され昇降路１の中央部に向けて突設された型鋼からなる取付金具３１ａとからなり、その水平投影面に投影される画像が、かご２の水平投影面上の画像と重畳しないように左側昇降路壁１３沿って架設されている。３２は取付金具３１ａの端部に取り付けられたヒンジ、３３は揚重梁で、一端はこのヒンジ３２に取り付けられ、揚重時は他端を取付金具１７ｂを介して建築梁１７ａにボルト１９ｂによって締結されて昇降路１を横切り、その水平投影面上の画像がかご２の水平投影面上の画像と重畳する部位に架設されて揚重の用に供され、エレベータの稼動時はボルト１９ｂによる締結を解いてヒンジ３２を軸として左側昇降路壁１３の側へ水平方向へ回転させる。回転させた状態では水平投影面上の映像がかご２の画像と重畳することはないものである。
【００１７】
上記実施の形態３において、エレベータの機器を揚重する場合、図５及び図６に鎖線で示すとおり、揚重梁３３をヒンジ３２を軸として右側昇降路壁１８側へ水平方向へ回転させ、他端を取付金具１７ｂを介して建築梁１７ａにボルト１９ｂによって締結した後、この揚重梁３３にチエンブロック等を取り付けて揚重する。
揚重が終了したならば、ボルト１９ｂの締結を解いてヒンジ３２を軸として左側昇降路壁１３側へ水平方向に回転させる。回転させて左側昇降路壁１３と平行状態とした後は、図５及び図６に実線で示すとおり、その水平投影面上の画像が、かご２の画像と重畳しないので、かご２の通常昇降は勿論のこと、異常昇降しても干渉はないものである。
この結果、上記実施の形態１と同様に、頂部すきまＬはかご枠２ｄの先端から昇降路天井１４までの距離となる。従って、揚重後も揚重梁３３を設置したままとする場合に比べて、揚重梁３３の高さ相当だけ昇降路天井１４を低くでき、延いては建物の高さを低くすることができる。また、ボルト１９ｂの締結を解いて、揚重梁３３の他端を人手で水平方向に回転させることにより、容易にエレベータの稼動時に備えることができる。特に、この実施の形態３によれば、揚重梁３３は水平方向に回転するため、移設の際に揚重梁３３の荷重が人手にかかることはないものである。
【００１８】
実施の形態４．
図７及び図８はこの発明の実施の形態４を示し、揚重梁を一方の昇降路部材に収納するようにしたものである。
図中、図１から図６と同一符号は同一部分を示す。４１は昇降路天井１４部分の正面左側の昇降路壁１３に沿って架設された一方の昇降路部材で、一端が奥行側昇降路壁１５に植設され、他端が出入口側昇降路壁１６に植設されて正面左側昇降路壁１３に沿って架設された型鋼からなる建築梁であって、下方の脚部が昇降路１の中央方向に延びて棚部４１ａとして機能するものである。この建築梁４１もその水平投影面に投影される画像が、かご２の水平投影面上の画像と重畳しないように左側昇降路壁１３沿って架設されている。４３は揚重梁で、一端は棚部４１ａにボルト１９ａによって取り付けられ、他端は取付金１７ｂにボルト１９ｂによって締結されて昇降路１を横切り、その水平投影面上の画像がかご２の水平投影面上の画像と重畳する部位に架設され、揚重の用に供される。エレベータの稼動時はボルト１９ａ及び１９ｂによる締結を解いて揚重梁４３を上記棚部４１ａに収納すると共に、ボルト１９ａ及び１９ｂで揚重梁４３を建築梁４１に固定する。この収納状態において、その水平投影面上の画像がかご２の画像と重畳することはないものである。
【００１９】
上記実施の形態４において、エレベータの機器を揚重する場合、図７及び図８に鎖線で示すとおり、揚重梁４３を建築梁１７ａと建築梁４１の間に架設してボルト１９ａ及び１９ｂによって締結した後、この揚重梁４３にチエンブロック等を取り付けて揚重する。
揚重が終了したならば、一旦ボルト１９ａ及び１９ｂの締結を解いて揚重梁４３を棚部４１ａに収納した後、再びボルト１９ａ及び１９ｂで建築梁４１に固定する。収納状態では、その水平投影面上の画像が、かご２の画像と重畳しないので、かご２の通常昇降は勿論のこと、異常昇降しても干渉はないものである。
この結果、上記実施の形態１と同様に、頂部すきまＬはかご枠２ｄの先端から昇降路天井１４までの距離となる。従って、揚重後も揚重梁４３を設置したままとする場合に比べて、揚重梁４３の高さ相当だけ昇降路天井１４を低くでき、延いては建物の高さを低くすることができる。
【００２０】
なお、上記実施の形態１から４では、いずれも巻上機５は左側昇降路壁１３に取り付けられるものとしたが、これに限られるものではなく、少なくとも昇降路天井１４の部分に揚重梁が架設されるエレベータには全て適用できる。
従って、巻上機５が昇降路１のピットに設置されるものであってもよい。
また、昇降路１に横穴を形成し、その横穴に巻上機５を収納する場合にも、この発明は適用できる。
更に、昇降路天井１４の上位に巻上機５、即ち、機械室が設置される場合であっても、昇降路天井１４の部分に揚重梁が架設されるエレベータである限り、この発明が適用できる。即ち、揚重梁を移設することにより、揚重梁の高さ相当だけ昇降路天井１４を低くすることができ、延いては相当分だけ建物の高さを低くできることになるからである。
また、上記実施の形態では、揚重梁１９、２３、３３及び４３は、いずれもかご２の水平投影面上の画像と重畳しない領域に移動されるものとしたが、かご２に限らず、昇降する物体との干渉を避ける意味から昇降する物体の総称である昇降体の水平投影面上の画像と重畳しない領域へ移設されるものとしてもよい。これにより、かごに限らず昇降体との干渉を避けることができる。
【００２１】
【発明の効果】
この発明は以上述べたとおり構成されているので、以下の効果を奏する。
請求項１の発明によれば、エレベータの昇降体が昇降する昇降路の頂部において、昇降路の水平投影面において昇降体と重畳しないように昇降路天井部分の正面左側昇降路壁に沿って架設され、一端が奥行側昇降路壁に、他端が出入口側昇降路壁にそれぞれ固定された一方の昇降路部材と、昇降路の水平投影面において昇降体と重畳しないように昇降路天井部分の正面右側昇降路壁に沿って架設され、一端が奥行側昇降路壁に、他端が出入口側昇降路壁にそれぞれ固定された他方の昇降路部材と、エレベータ機器の揚重時に、一方の昇降路部材及び他方の昇降路部材にそれぞれ端部が支持されて昇降路を横切り、昇降路の水平投影面において昇降体と重畳する部位に架設された揚重梁と、揚重梁を一方の昇降路部材及び他方の昇降路部材にそれぞれ係止させて固定し、エレベータ機器の揚重終了時に、係止が解かれることにより揚重梁を昇降路の水平投影面において昇降体と重畳しない領域へ移設可能とする係止具とを備えたので、揚重梁は機器の揚重の用に供されると共に、エレベータの稼動時には、昇降路部材から取り外し、昇降路の水平投影面においてかごと重畳しない位置に移動させることにより、昇降体が異常に上昇したとしても揚重梁と干渉することはない。この結果、頂部すきまは、揚重梁の下面ではなくて昇降路天井までの距離となり、揚重梁相当分だけ昇降路天井を低くでき、延いては揚重梁相当分建物の高さを低くでき、建築費の低減を図ることが出来るという効果を奏する。
【００２２】
また、請求項２の発明によれば、昇降路の頂部に架設された揚重梁の端部が一方の昇降路部材とはヒンジで係合し、他方の昇降路部材とはボルトで締結されて揚重の用に供され、上記ボルトによる締結を解いて上記ヒンジを軸として下方に回転させて垂下させることにより、昇降路の水平投影面において上記昇降体と重畳しない部位に移設可能としたので、上記請求項１と同様の効果を奏すると共に、他方の昇降路部材とボルトとの締結を解くことにより移設が可能となり、移設に際して揚重梁の荷重の一部しか人手にかからないので、作業が容易であるという効果も併せ奏する。
【００２３】
更に、請求項３に記載の発明によれば、昇降路の頂部に架設された揚重梁の端部が一方の昇降路部材とはヒンジで係合し、他方の昇降路部材とはボルトで締結されて揚重の用に供され、上記ボルトによる締結を解いて上記ヒンジを軸として水平方向に回転させ、昇降路の水平投影面において上記昇降体と重畳しない部位に移設可能としたので、請求項１と同様の効果を奏すると共に、揚重梁を水平方向に回転させて移設するため、揚重梁の荷重は人手にはかからない点で、一部荷重がかかる上記請求項２に記載の発明よりも更に移設が容易であるという効果も奏する。
【００２４】
更にまた、請求項４に記載の発明によれば、昇降体が昇降する昇降路の頂部において、昇降路の一方の側部に一方の昇降路部材が架設され、他方の側部に他方の昇降路部材が架設され、かつ両昇降路部材間に揚重梁を係止して揚重をし、上記一方の昇降路部材に棚部を形成して、この棚部に上記係止を解かれた用済み後の揚重梁を収納可能とし、この収納状態で、昇降路の水平投影面において昇降体と重畳しないようにしたので、上記請求項１に記載の発明と同様の効果を奏する。
【００２５】
更にまた、請求項５に記載の発明によれば、巻上機が昇降路内に設置される場合に、上記巻上機よりも上位に揚重梁を架設するものとしたので、巻上機の揚重にも上記揚重梁を使用でき、揚重梁を有効に活用できるという効果を奏する。
【００２６】
更にまた、請求項６に記載の発明によれば、昇降体をかご室又はかご枠に限定したので、昇降路内という限られた空間であっても、少なくともかごとの干渉を避けることによりかご内の乗客の安全を確保するとともに、揚重梁の移設場所の確保が容易となるという効果を奏する。
【図面の簡単な説明】
【図１】  この発明の実施の形態１を示す昇降路横断面図。
【図２】  この発明の実施の形態１を示す昇降路縦断面図。
【図３】  この発明の実施の形態２を示す昇降路横断面図。
【図４】  この発明の実施の形態２を示す昇降路縦断面図。
【図５】  この発明の実施の形態３を示す昇降路横断面図。
【図６】  この発明の実施の形態３を示す昇降路縦断面図。
【図７】  この発明の実施の形態４を示す昇降路横断面図。
【図８】  この発明の実施の形態４を示す昇降路縦断面図。
【図９】  従来のエレベータの昇降路を示す昇降路横断面図。
【図１０】  従来のエレベータの昇降路を示す昇降路正面の縦断面図。
【図１１】  従来のエレベータの昇降路を示す昇降路側面の縦断面図。
【符号の説明】
１  昇降路、２  かご、２ａ  かご室、２ｂ  かご天井、２ｃ  かご戸、  ２ｄ  かご枠、４  かごガイドレール、５  巻上機、６  主策、７  つり合おもり、８  おもりガイドレール、９  最上階、１０  乗場戸、１２  昇降路部材、１２ａ  建築梁、１２ｂ  取付金具、１３  左側昇降路壁、１４  昇降路天井、  １５  奥行側昇降路壁、１６  出入口側昇降路壁、  １７  昇降路部材、１７ａ  建築梁、１７ｂ  取付金具、１８  右側昇降路壁、１９  揚重梁、１９ａ  ボルト、１９ｂ  ボルト、２１  昇降路部材、２１ａ  取付金具、２２  ヒンジ、２３  揚重梁、２４  取付金具、２５  ボルト、３１  昇降路部材、３１ａ  取付金具、３２  ヒンジ、３３  揚重梁、４１  建築梁、４３  揚重梁。
【図１】
0003807851.tif 000002
【図２】
0003807851.tif 000003
【図３】
0003807851.tif 000004
【図４】
0003807851.tif 000005
【図５】
0003807851.tif 000006
【図６】
0003807851.tif 000007
【図７】
0003807851.tif 000008
【図８】
0003807851.tif 000009
【図９】
0003807851.tif 000010
【図１０】
0003807851.tif 000011
【図１１】
0003807851.tif 000012